【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
透明基材および層を含み、該層の全重量に対して、１〜７５重量％の高分子量の有機物質中に分散した一般式（Ｉ）：
【化１】
2005533839.tif 000001
（式中、ＡおよびＢは、相互に独立して、式
【化２】
2005533839.tif 000002
の基であり、式中、Ｒ3およびＲ4は、相互に独立して、水素、ハロゲン、Ｃ1〜Ｃ18アルキル、Ｃ1〜Ｃ18アルコキシ、−ＮＲ16Ｒ17、−ＣＯＮＨＲ18、−ＣＯＯＲ19、−ＳＯ2ＮＨ−Ｒ20、Ｃ1〜Ｃ18アルコキシカルボニル、Ｃ1〜Ｃ18アルキルアミノカルボニル、−ＣＮ、−ＮＯ2、トリフルオロメチル、Ｃ5〜Ｃ7シクロアルキル、−Ｃ＝Ｎ−（Ｃ1〜Ｃ18アルキル）、
【化３】
2005533839.tif 000003
イミダソリル、ピラゾリル、トリアゾリル、ピペラジニル、ピロリル、オキサゾリル、ベンズオキサゾリル、ベンゾチアゾリル、ベンズイミダゾリル、モルホリニル、ピペリジニル、またはピロリジニルであり、
Ｇは、−ＣＨ2−、−ＣＨ（ＣＨ3）−、−Ｃ（ＣＨ3）2−、−ＣＨ＝Ｎ−、−Ｎ＝Ｎ−、−Ｏ−、−Ｓ−、−ＳＯ−、−ＳＯ2−、−ＣＯＮＨ−、または−ＮＲ9−であり、
Ｒ5およびＲ6は、相互に独立して、水素、ハロゲン、Ｃ1〜Ｃ6アルキル、Ｃ1〜Ｃ18アルコキシ、または−ＣＮであり、
Ｒ7およびＲ8は、相互に独立して、水素、ハロゲン、またはＣ1〜Ｃ6アルキルであり、
Ｒ9は、水素またはＣ1〜Ｃ6アルキルであり、
Ｒ1およびＲ2は、相互に独立して、Ｃ1〜Ｃ18アルキル、ＯもしくはＳによって１回以上中断されるＣ1〜Ｃ18アルキル、Ｃ6〜Ｃ12アリール、Ｃ7〜Ｃ12アラルキル、または式−Ｃ（Ｏ）ＯＲ10（式中、Ｒ10は、Ｃ1〜Ｃ18アルキル、Ｃ5〜Ｃ10シクロアルキル、Ｃ6〜Ｃ12アリール、またはＣ7〜Ｃ12アラルキルである）の基、あるいは式
−Ｘ2−Ｘ3（ＩＩ）の基であり、式中、
Ｘ2は、場合により１つ以上の基−Ｏ−、−Ｓ−、−ＮＲ14−、−ＣＯ−、−ＣＯＮＨ−、−ＣＯＮＲ15−、または−ＣＯＯ−を連結ブリッジとして含有する、アルキレン、アリーレン、アラルキレン、またはシクロアルキレンスペーサであり、
Ｘ3は、−ＯＨ、−ＮＨ2、−Ｃ（Ｒ11）＝ＣＨ2、−ＯＣ（Ｏ）−Ｃ（Ｒ12）＝ＣＨ2、−Ｃ（Ｏ）−Ｃ（Ｒ12）＝ＣＨ2、Ｃ5〜Ｃ7シクロアルケニル、
【化４】
2005533839.tif 000004
または−ＯＣ（Ｏ）−Ｎ−Ｘ4−Ｎ−Ｃ（Ｏ）−Ｏ−Ｘ5−Ｏ−Ｃ（Ｏ）−Ｃ（Ｒ12）＝ＣＨ2であり、式中、
Ｒ11は、水素、Ｃ1〜Ｃ4アルキル、またはハロゲンであり、
Ｒ12は、水素、Ｃ1〜Ｃ4アルキル、またはハロゲンであり、
Ｒ13は、水素、Ｃ1〜Ｃ4アルキル、またはＣ6〜Ｃ12アリールであり、
Ｒ14およびＲ15は、相互に独立して、水素、Ｃ1〜Ｃ8アルキル、またはＣ6〜Ｃ12アリールであり、
Ｒ16、Ｒ17、Ｒ18、およびＲ20は、相互に独立して、水素、Ｃ1〜Ｃ18アルキル、Ｃ6〜Ｃ12アリール、またはＣ7〜Ｃ12アラルキルであり、
Ｒ19は、Ｃ1〜Ｃ18アルキル、Ｃ6〜Ｃ12アリール、またはＣ7〜Ｃ12アリールであり、そして
Ｘ4およびＸ5は、相互に独立して、アルキレン、アリーレン、アラルキレン、またはシクロアルキレンスペーサであり、
Ｒ3、Ｒ4、Ｒ5、Ｒ6、Ｒ7、およびＲ8は、式
−Ｘ1−Ｘ2−Ｘ3（ＩＩＩ）の基でもよく、式中、
Ｘ1は、−Ｏ−、−Ｓ−、−ＮＨ−、−ＣＯＮＨ−、−ＣＯＯ−、−ＳＯ2−ＮＨ−、または−ＳＯ2−Ｏ−であり、そして
Ｘ2およびＸ3は、先に定義したとおりであるが、
ただし分子１個あたりに、式（ＩＩ）および／または（ＩＩＩ）の基の少なくとも１つ、好ましくは２つが存在することを条件とする）のジケトピロロピロールを含む、カラーフィルタ。
【請求項２】
顔料が、一般式
【化５】
2005533839.tif 000005
（式中、Ｒ1およびＲ2は、相互に独立して、式
−Ｘ2−Ｘ3（ＩＩ）の基であり、式中、
Ｘ2は、場合により基−Ｏ−、−Ｓ−、−ＮＲ14−、−ＣＯ−、−ＣＯＮＨ−、−ＣＯＮＲ15−、または−ＣＯＯ−を連結ブリッジとして含有する、アルキレン、アリーレン、アラルキレン、またはシクロアルキレンスペーサであり、
Ｘ3は、−ＯＨ、−ＮＨ2、−Ｃ（Ｒ11）＝ＣＨ2、−ＯＣ（Ｏ）−Ｃ（Ｒ12）＝ＣＨ2、−Ｃ（Ｏ）−Ｃ（Ｒ12）＝ＣＨ2、または−ＯＣ（Ｏ）−Ｎ−Ｘ4−Ｎ−Ｃ（Ｏ）−Ｏ−Ｘ5−Ｏ−Ｃ（Ｏ）−Ｃ（Ｒ12）＝ＣＨ2であり、式中、
Ｒ11は、水素、またはメチルであり
Ｒ12は、水素、またはメチルであり
Ｒ14およびＲ15は、相互に独立して、水素、Ｃ1〜Ｃ8アルキル、またはＣ6〜Ｃ12アリールであり、そして
Ｘ4およびＸ5は、請求項１で定義したとおりであり、
Ｒ3およびＲ4は、相互に独立して、水素、ハロゲン、Ｃ1〜Ｃ18アルキル、Ｃ1〜Ｃ18アルコキシ、−ＮＲ16Ｒ17、−ＣＯＮＨＲ18、−ＣＯＯＲ19、−ＳＯ2ＮＨ−Ｒ20、Ｃ1〜Ｃ18アルコキシカルボニル、Ｃ1〜Ｃ18アルキルアミノカルボニル、−ＣＮ、−ＮＯ2、トリフルオロメチル、Ｃ5〜Ｃ7シクロアルキルであり、ここでＲ16、Ｒ17、Ｒ18およびＲ20は請求項１で定義したとおりである）を有する、請求項１記載のカラーフィルタ。
【請求項３】
顔料が、一般式
【化６】
2005533839.tif 000006
（式中、Ｒ21およびＲ22は、相互に独立して、水素、Ｃ1〜Ｃ18アルキル、ＯもしくはＳによって１回以上中断されるＣ1〜Ｃ18アルキル、Ｃ7〜Ｃ12アラルキル、または式
【化７】
2005533839.tif 000007
（ここでＲ5は、Ｃ1〜Ｃ18アルキルである）の基であり、
Ｒ23およびＲ24は、相互に独立して、式
−Ｘ1−Ｘ2−Ｘ3
の基であり、式中、Ｘ1は、−Ｏ−、−Ｓ−、−ＮＨ−、−ＣＯＮＨ−、−ＣＯＯ−、−ＳＯ2−ＮＨ−、または−ＳＯ2−Ｏ−であり、
Ｘ2は、場合により１つ以上の基−Ｏ−、−Ｓ−、−ＮＲ14−、−ＣＯ−、−ＣＯＮＨ−、−ＣＯＮＲ15−、または−ＣＯＯ−を連結ブリッジとして含有する、アルキレン、アリーレン、アラルキレン、またはシクロアルキレンスペーサであり、
Ｘ3は、−ＯＨ、−ＮＨ2、−Ｃ（Ｒ11）＝ＣＨ2、−ＯＣ（Ｏ）−Ｃ（Ｒ12）＝ＣＨ2、−Ｃ（Ｏ）−Ｃ（Ｒ12）＝ＣＨ2、または−ＯＣ（Ｏ）−Ｎ−Ｘ4−Ｎ−Ｃ（Ｏ）−Ｏ−Ｘ5−Ｏ−Ｃ（Ｏ）−Ｃ（Ｒ12）＝ＣＨ2、ここで
Ｒ11は、水素、またはメチルであり、
Ｒ12は、水素、またはメチルであり
Ｒ14およびＲ15は、相互に独立して、水素、Ｃ1〜Ｃ8アルキル、またはＣ6〜Ｃ12アリールであり、そしてＸ4およびＸ5は、請求項１で定義したとおりである）
を有する、請求項１記載のカラーフィルタ。
【請求項４】
一般式
【化８】
2005533839.tif 000008
（式中、Ｒ1およびＲ2は、相互に独立して、式
−Ｘ2−Ｘ3（ＩＩ）の基であり、式中、
Ｘ2は、場合により１つ以上の基−Ｏ−、−Ｓ−、−ＮＲ14−、−ＣＯ−、−ＣＯＮＨ−、−ＣＯＮＲ15−、または−ＣＯＯ−を連結ブリッジとして含有する、アルキレン、アリーレン、アラルキレン、またはシクロアルキレンスペーサであり、
Ｘ3は、−ＯＨ、−ＮＨ2、−Ｃ（Ｒ11）＝ＣＨ2、−ＯＣ（Ｏ）−Ｃ（Ｒ12）＝ＣＨ2、−Ｃ（Ｏ）−Ｃ（Ｒ12）＝ＣＨ2、または−ＯＣ（Ｏ）−Ｎ−Ｘ4−Ｎ−Ｃ（Ｏ）−Ｏ−Ｘ5−Ｏ−Ｃ（Ｏ）−Ｃ（Ｒ12）＝ＣＨ2であり、式中、
Ｒ11は、水素、またはメチルであり
Ｒ12は、水素、またはメチルであり
Ｒ14およびＲ15は、相互に独立して、水素、Ｃ1〜Ｃ8アルキル、またはＣ6〜Ｃ12アリールであり、そして
Ｘ4およびＸ5は、請求項１で定義したとおりであり、
Ｒ3およびＲ4は、相互に独立して、Ｃ1〜Ｃ18アルキル、Ｃ1〜Ｃ18アルコキシ、−ＮＲ16Ｒ17、−ＣＯＮＨＲ18、−ＣＯＯＲ19、−ＳＯ2ＮＨ−Ｒ20、Ｃ1〜Ｃ18アルコキシカルボニル、Ｃ1〜Ｃ18アルキルアミノカルボニルであり、ここでＲ16、Ｒ17、Ｒ18、Ｒ19、およびＲ20は、Ｃ1〜Ｃ18アルキルである）のジケトピロロピロール。
【請求項５】
Ｒ1およびＲ2が、相互に独立して、式
−Ｘ2−Ｘ3
（式中、Ｘ2は、Ｃ1〜Ｃ18アルキレンであり、そして
Ｘ3は、−ＮＨ2、−ＯＨ、−ＣＨ＝ＣＨ2、−Ｃ（ＣＨ3）＝ＣＨ2、−ＣＯ−ＣＨ＝ＣＨ2、−ＣＯ−Ｃ（ＣＨ3）＝ＣＨ2、−ＣＯ−ＣＨ＝ＣＨ2、または−ＣＯ−Ｃ（ＣＨ3）＝ＣＨ2である）の基である、請求項４記載のジケトピロロピロール。
【請求項６】
Ｒ3およびＲ4が、相互に独立して、Ｃ1〜Ｃ18アルキルメルカプト、Ｃ1〜Ｃ18アルコキシ、または−ＮＲ16Ｒ17であり、ここで、基Ｒ16およびＲ17の一方が水素であり、他方がＣ1〜Ｃ18アルキルであるか、または両方の基Ｒ16およびＲ17が、相互に独立してＣ1〜Ｃ18アルキルである、請求項４または５記載のジケトピロロピロール。
【請求項７】
一般式
【化９】
2005533839.tif 000009
（式中、Ｒ21およびＲ22は、相互に独立して、水素、Ｃ1〜Ｃ18アルキル、ＯもしくはＳによって１回以上中断されるＣ1〜Ｃ18アルキル、Ｃ7〜Ｃ12アラルキルまたは式
【化１０】
2005533839.tif 000010
（ここでＲ5は、Ｃ1〜Ｃ18アルキルである）の基であり、
Ｒ23およびＲ24は、相互に独立して、式
−Ｘ1−Ｘ2−Ｘ3
の基であり、式中、Ｘ1は、−Ｏ−、−Ｓ−、−ＮＨ−、−ＣＯＮＨ−、−ＣＯＯ−、−ＳＯ2−ＮＨ−、または−ＳＯ2−Ｏ−であり、
Ｘ2は、場合により１つ以上の基−Ｏ−、−Ｓ−、−ＮＲ14−、−ＣＯ−、−ＣＯＮＨ−、−ＣＯＮＲ15−、または−ＣＯＯ−を連結ブリッジとして含有する、アルキレン、アリーレン、アラルキレン、またはシクロアルキレンスペーサであり、
Ｘ3は、−ＯＨ、−ＮＨ2、−Ｃ（Ｒ11）＝ＣＨ2、−ＯＣ（Ｏ）−Ｃ（Ｒ12）＝ＣＨ2、−Ｃ（Ｏ）−Ｃ（Ｒ12）＝ＣＨ2、または−ＯＣ（Ｏ）−Ｎ−Ｘ4−Ｎ−Ｃ（Ｏ）−Ｏ−Ｘ5−Ｏ−Ｃ（Ｏ）−Ｃ（Ｒ12）＝ＣＨ2、ここで
Ｒ11は、水素、またはメチルであり、
Ｒ12は、水素、またはメチルであり
Ｒ14およびＲ15は、相互に独立して、水素、Ｃ1〜Ｃ8アルキル、もしくはＣ6〜Ｃ12アリール、Ｃ1〜Ｃ4アルキル、またはＣ6〜Ｃ12アリールであり、そして
Ｘ4およびＸ5は、相互に独立して、アルキレン、アリーレン、アラルキレン、またはシクロアルキレンスペーサである）のジケトピロロピロール。
【請求項８】
Ｒ23およびＲ24が、相互に独立して式
−Ｘ1−Ｘ2−Ｘ3
の基であり、式中、Ｘ1が、−Ｓ−、−ＳＯ2ＮＨ−、もしくは−ＮＨ−であり、
Ｘ2が、Ｃ1〜Ｃ18アルキレン基であり、そして
Ｘ3が、−ＯＨ、−ＮＨ2、−ＣＨ＝ＣＨ2、−Ｃ（ＣＨ3）＝ＣＨ2、−ＣＯ−ＣＨ＝ＣＨ2、−ＣＯ−Ｃ（ＣＨ3）＝ＣＨ2、−ＣＯ−ＣＨ＝ＣＨ2、または−ＣＯ−Ｃ（ＣＨ3）＝ＣＨ2である、請求項７記載のジケトピロロピロール。
【請求項９】
Ｒ21およびＲ22が、相互に独立して、水素またはＣ1〜Ｃ18アルキルである、請求項７または８記載のジケトピロロピロール。
【請求項１０】
（Ａ）成分（Ａ）および（Ｂ）の総量に基づいて、０．５〜２０重量％のジケトピロロピロールＩＶまたはＶ、および
（Ｂ）成分（Ａ）および（Ｂ）の総量に基づいて、９９．５〜８０重量％のジケトピロロピロールＩＶおよびＶと共重合可能であるモノマー（（Ａ）および（Ｂ）の総量が１００重量％を成す）
からなる混合物を複反応させることによって得られる、ポリマー。